Podtech/llm-jp-corpus-v4-ja_patent huggingface dataset:
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
少なくとも１つの層（２）を支持体（３）から分離するレーザリフトオフ法のための装置（１００）であって、
レーザビーム（Ｌ）を発生させるレーザと、
少なくとも１つのビームスプリッタ（４）が設けられており、
該少なくとも１つのビームスプリッタ（４）によって、前記レーザビーム（Ｌ）が少なくとも２つの部分ビーム（Ｐ）に分割され、
該少なくとも２つの部分ビーム（Ｐ）は照射面（１０）において重畳され、
該照射面（１０）は、前記支持体（３）の、前記層（２）とは反対側に位置する主面（３０）が該照射面（１０）に配置されるように設けられており、
該照射面（１０）において前記少なくとも２つの部分ビーム（Ｐ）が相互に成す角度（α）は少なくとも１．０°である、
レーザリフトオフ法のための装置（１００）において、
前記レーザビームは、ナノ秒パルスのパルス化されたレーザビーム（Ｌ）であり、該レーザビーム（Ｌ）のパルス持続時間は最大で５０ｎｓであり、
前記部分ビーム（Ｐ）間の光学的な経路長差は、前記パルス持続時間の少なくとも０．０２５倍であり最大で０．２５倍に相応し、
すべての部分ビーム（Ｐ）のエネルギー密度全体は、前記照射面（１０）においてパルスあたり２００ｍＪ／ｃｍ2〜８５０ｍＪ／ｃｍ2であり、ただし２００ｍＪ／ｃｍ2と８５０ｍＪ／ｃｍ2を含むことを特徴とする、
レーザリフトオフ法のための装置（１００）。
【請求項２】
すべての部分ビーム（Ｐ）は、最大２０％の許容範囲で等しい強度を有する、請求項１記載の装置（１００）。
【請求項３】
前記部分ビーム（Ｐ）のビーム経路中、それぞれ割り当てられたビームスプリッタ（４）と照射面（１０）との間に、放射を伝達するために設けられた光学素子（６）は設けられておらず、前記部分ビームは、割り当てられたビームスプリッタ（４）から照射面（１０）に至るまで、集光を行ういかなる部材も通過しない、請求項１または２記載の装置（１００）。
【請求項４】
前記部分ビーム（Ｐ）間の角度（α）はそれぞれ７．５°〜５０°であり、ただし７．５°と５０°を含み、前記部分ビーム（Ｐ）と前記照射面（１０）の垂線（１１）とが成す角度はそれぞれ０°〜５０°であり、ただし０°と５０°を含み、前記レーザビーム（Ｌ）のパルス持続時間は１ｎｓ〜１５ｎｓであり、ただし１ｎｓと１５ｎｓを含む、請求項１から３のいずれか１項記載の装置（１００）。
【請求項５】
前記レーザビーム（Ｌ）は、Ｎ−１個のビームスプリッタ（４）によりＮ個の部分ビーム（Ｐ）に分割され、Ｎ番目のビームスプリッタ（４）の反射率Ｒ（Ｎ）について、
Ｒ（Ｎ）＝１／（Ｎ＋１）
が成り立ち、ただしＮは３〜８の整数であり、ここでＮは３と８も含み、
前記ビームスプリッタ（４）は、前記照射面（１０）に向かいビーム経路に沿って反射率が増大していくように配置されている、
請求項１から４のいずれか１項記載の装置（１００）。
【請求項６】
前記部分ビーム（Ｐ）は、それぞれ割り当てられたビームスプリッタ（４）と照射面（１０）との間において、放射を伝達するために設けられた光学素子（６）を通過しない、請求項１から５のいずれか１項記載の装置（１００）。
【請求項７】
前記部分ビーム（Ｐ）は前記照射面（１０）において、最大１５％の許容範囲でそれぞれ等しい横断面と等しい横方向の広がりを有する、請求項１から６のいずれか１項記載の装置（１００）。
【請求項８】
前記部分ビーム（Ｐ）と前記レーザビーム（Ｌ）は、直径１／ｅ2のガウス曲線状のビームプロフィルを有しており、横方向におけるビーム（Ｌ，Ｐ）の強度低下に関し最大強度について、２ｍｍと８ｍｍとの間にあり、ただし２ｍｍと８ｍｍを含む、請求項１から７のいずれか１項記載の装置（１００）。
【請求項９】
エピタキシャル成長させた半導体積層体（２）を支持体（３）から分離するためのレーザリフトオフ方法であって、
前記支持体（３）上でエピタキシャル成長させた半導体層（２）または半導体積層体（２）を準備するステップと、
１つのレーザビーム（Ｌ）を少なくとも２つの部分ビーム（Ｐ）に分割するステップと、
前記半導体積層体（２）とは反対側に位置する、支持体（３）の主面（３０）が存在する照射面（１０）において、前記部分ビーム（Ｐ）を重畳させるステップと
を有しており、
前記照射面（１０）において前記少なくとも２つの部分ビーム（Ｐ）が相互に成す角度（α）は、少なくとも１．０°である、
レーザリフトオフ方法において、
前記レーザビームは、ナノ秒パルスのパルス化されたレーザビーム（Ｌ）であり、該レーザビーム（Ｌ）のパルス持続時間を最大で５０ｎｓとし、
前記部分ビーム（Ｐ）間の光学的な経路長差を、前記パルス持続時間の少なくとも０．０２５倍とし、最大で０．２５倍に相応させ、
すべての部分ビーム（Ｐ）のエネルギー密度全体を、前記照射面（１０）においてパルスあたり２００ｍＪ／ｃｍ2〜８５０ｍＪ／ｃｍ2とし、ただし２００ｍＪ／ｃｍ2と８５０ｍＪ／ｃｍ2を含み、
前記半導体積層体（２）とは反対側の支持体主面（３０）の平均粗面度を、０．１μｍ〜５．０μｍとし、ただし０．１μｍと５．０μｍを含むことを特徴とする、
レーザリフトオフ方法。
【請求項１０】
パルスごとのすべての部分ビーム（Ｐ）のエネルギー密度全体を、前記半導体積層体（２）の分解ゾーン（２０）の材料の崩壊閾値よりも低くする、請求項９記載の方法。
【請求項１１】
前記支持体（３）はサファイアを含むかまたはサファイアから成り、前記半導体積層体（２）はＧａＮ、ＩｎＧａＮおよび／またはＡｌＧａＮをベースとする、請求項９または１０記載のレーザリフトオフ方法。
【請求項１２】
前記支持体（３）の厚さ（Ｔ）は２５０μｍ〜１．５ｍｍであり、ただし２５０μｍと１．５ｍｍを含み、前記重畳された部分ビーム（Ｐ）の強度変調は、前記半導体積層体（２）に向いた、前記支持体（３）の成長面（３５）において、該重畳された部分ビーム（Ｐ）のビームプロフィル（８）の局所的な包絡線（７）に対し最大で２０％である、請求項９から１１のいずれか１項記載のレーザリフトオフ方法。
【請求項１３】
請求項１から８のいずれか１項記載の装置（１００）によって実施される、請求項９から１２のいずれか１項記載のレーザリフトオフ方法。
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
吸入器と共に使用するための投与量計数器であって、薬剤の投与量を投与するための相互作動手段を備えた薬剤に対する容器を備え、前記相互作動手段が、第１の軸線に沿って動作し、前記投与量計数器が、
第２の軸線の周りを回転可能な表示器部材であって、１以上の投与量が投与されるとき所定の計数表示動作を経るように構成及び配列され、前記第２の軸線が、前記第１の軸線に対して鈍角に配置される、表示器部材と、
ウォーム軸線の周りを回転可能なウォームであって、前記表示器部材を駆動するように構成及び配列され、前記ウォーム軸線と前記第２の軸線とが、交差せず、かつ、互いに対して垂直の配列に配置されない、ウォームと、
を備える、投与量計数器。
【請求項２】
ディスペンサーと共に又はディスペンサーの一部として使用するための作動装置であって、請求項１に記載の投与量計数器を備える、作動装置。
【請求項３】
請求項１に記載の投与量計数器を備えるディスペンサー。
【請求項４】
請求項２に記載の作動装置を備えるディスペンサー。
【誤訳訂正書】
【提出日】平成24年11月29日(2012.11.29)
【誤訳訂正１】
【訂正対象書類名】特許請求の範囲
【訂正対象項目名】全文
【訂正方法】変更
【訂正の内容】
【特許請求の範囲】
【請求項１】
数平均分子量が３４０〜２０００ｇ／ｍｏｌｅであるエポキシ樹脂１００重量部、２つ以上のアミン系官能基を持つ硬化剤５〜８０重量部、および前記エポキシ樹脂と硬化剤のいずれか一方または両方に均一に混合、分散される有機粘土０．１〜２０重量部を含む、腐食防止用コーティング剤組成物であって、前記有機粘土の混合および分散が、超音波によって行われることを特徴とする、腐食防止用コーティング剤組成物。
【請求項２】
前記有機粘土は、天然または合成のモンモリロナイト(Montmorillonite)、ヘクトライト(Hectorite)、ハロイサイト(halloysite)、ベントナイト(bentonite)、ノントロナイト(Nontronite)、およびバイデライト(Beidellite)よりなる群から選ばれるスメクタイト層状化合物から選ばれた有機粘土であることを特徴とする、請求項１に記載の腐食防止用コーティング剤組成物。
【請求項３】
前記有機粘土は、モンモリロナイトにメチル，タロウ，ビス−２−ヒドロキシエチル，四級アンモニウムイオンを層間に導入させて有機化されたものであることを特徴とする、請求項２に記載の腐食防止用コーティング剤組成物。
【請求項４】
前記有機粘土は、エポキシ樹脂を基準として３〜６重量％で含まれることを特徴とする、請求項１に記載の腐食防止用コーティング剤組成物。
【請求項５】
アルミナゾル、シリカゾル、金属粉末、ワックスおよびフォスフェイト系耐食性防錆剤よりなる群から選ばれる添加剤をさらに含むことを特徴とする、請求項１に記載の腐食防止用コーティング剤組成物。
【請求項６】
前記エポキシ樹脂は、ハロゲン基またはアミン基を含む変性エポキシ単量体であることを特徴とする、請求項１の記載の腐食防止用コーティング剤組成物。
【請求項７】
（ｉ）数平均分子量が３４０〜２０００ｇ／ｍｏｌｅである１００重量部のエポキシ樹脂と５〜３０重量部の２つ以上のアミン系官能基を持つ硬化剤のいずれか一方または両方に、超音波を用いて総重量０．１〜２０重量部の有機粘土を均一に分散させた後、前記エポキシ樹脂と硬化剤とを混合する段階、或いは  
（ii）数平均分子量が３４０〜２０００ｇ／ｍｏｌｅである１００重量部のエポキシ樹脂と５〜３０重量部の２つ以上のアミン系官能基を持つ硬化剤とを混合した後、ここに超音波を用いて総重量０．１〜２０重量部の有機粘土を均一に分散させる段階を含んでなる、均一に分散された有機粘土を含む腐食防止用コーティング剤組成物の製造方法。
【請求項８】
（i）段階または（ii）段階の後、アルミナゾル、シリカゾル、金属粉末、ワックスおよびフォスフェイト系耐食性防錆剤よりなる群から選ばれる添加剤を、前記有機粘土が分散されているエポキシ樹脂と硬化剤の混合物に添加して混合する段階をさらに含むことを特徴とする、請求項７に記載の方法。
【請求項９】
請求項１に記載の耐食性コーティング剤組成物でコートされた亜鉛メッキ鋼板。
【誤訳訂正２】
【訂正対象書類名】明細書
【訂正対象項目名】００１３
【訂正方法】変更
【訂正の内容】
【００１３】
実施例１
溶剤型コーティング液の主反応成分としては、数平均分子量３８０ｇ／ｍｏｌｅのエポキシ単量体とメラミン系硬化剤を使用した。
これらの主反応成分それぞれに、そしてこれらの主反応成分の混合物に有機粘土を分散させてナノ複合材型コーティング剤組成物を製造した。
エポキシ単量体は、Ｋｕｋｄｏ化学で生産するＹＤ−１２８(diglycidyl ether of Bisphenol-A, Epoxy equivalent weight of 186.4g/eq, number average molecular weight of 372.8g/mole)を使用し、硬化剤は、Ｃｙｔｅｃ社(Cytec Industries Inc.)のメラミン誘導体と東京化成工業のＤＤＳ(4,4'-diaminodiphenylsulfone)を使用した。有機粘土はＳｏｕｔｈｅｒｎ−ｃｌａｙ社のＣｌｏｉｓｉｔｅ ３０Ｂを使用したが、Ｃｌｏｉｓｉｔｅ ３０Ｂはモンモリロナイト（ＭＭＴ）の層間に有機物、すなわちメチル，タロウ，ビス−２−ヒドロキシエチル，四級アンモニウムイオンを導入させたものである。
【誤訳訂正書】
【提出日】平成25年2月22日(2013.2.22)
【誤訳訂正１】
【訂正対象書類名】明細書
【訂正対象項目名】０００８
【訂正方法】変更
【訂正の内容】
【０００８】
本発明は、識別番号などの銘をレーザで彫刻した宝石の平らで、滑らかな面を見るための彫刻された宝石用ビューアに関する。宝石は、宝石用ビューア内に置かれるか、宝石用ビューアによって別の方法で受け入れられている場合に、宝飾品類の一部に取り付けられているか、取り付けられていない状態でもよい。光源は、光線を反射コーティングで覆った拡大レンズへ向ける。光線は、拡大レンズによって反射して、銘を具える宝石の表面に軌道に沿って入射する。滑らかで平らな宝石面によって、光線は、軌道に沿って拡大レンズに戻るように分光反射し、銘を現す可視的な光の像を作り出す。銘は、光の像の暗い又はかなり明るさが減った領域として示される。
【誤訳訂正２】
【訂正対象書類名】明細書
【訂正対象項目名】００２８
【訂正方法】変更
【訂正の内容】
【００２８】
テーブル６の彫刻された領域又は銘１０は、光線６５を乱反射手段で反射する。光線６５の一部は、入射軌道１４２に沿って伝わって宝石５の銘１０に当たり、乱反射又は散乱性手段によって、軌道１４３から離れるように反射する。光線６５の乱反射された部分は、光線６５の鏡面反射された部分と同じ軌道１４３に沿って伝わらない。従って、光線６５の乱反射された部分は、拡大レンズ５０に向けられず、外側シェル２１の内側面を覆う光吸収コーティング２４で吸収される。光線６５の鏡面反射された部分は、上へ反射して、軌道１４３に沿って拡大レンズ５０に向けて戻る。光線６５の総直径は、宝石テーブル６に当たって反射するときに、５ｍｍ以上であるが、鏡面反射によって、分光反射光の像１５０を作り出すために有効又は有用な光線の直径は、約５乃至６ｍｍであると考えられる。
【誤訳訂正３】
【訂正対象書類名】明細書
【訂正対象項目名】００２９
【訂正方法】変更
【訂正の内容】
【００２９】
鏡面反射軌道１４３に沿って伝わる反射した光線６５は、拡大レンズ５０によって収集されて、移動焦点軌道１４４に沿うように方向付けられて、観察するための焦点１４９に向かう。焦点１４９は、拡大レンズ５０から約２乃至３インチ上で軸に整列して配置される。焦点１４９で宝石用ビューア２０を通して宝石５を観察するときに、宝石用ビューアは、図５のように白色光の照明領域１５２を含む光の像１５０を示す。宝石５のテーブル６に当たる一方向の光線６５が、テーブル面全体を覆うのに十分なほど大きい場合に、光の像１５０は、観察される宝石のテーブル６の角度を成した周辺部を現す角度を成した周辺部１５３を具えてはっきりとした形態で照明領域１５２を示す。照明領域１５２は、光源６０の分光反射した光によって形成される。照明領域１５２は、宝石５のテーブル６に彫刻された銘１０又は識別番号１１を表す個々の文字又は別々の構成要素領域１５６を包含する暗い領域１５５を含む。銘１０によって、これがなければ平らで滑らかなテーブル６の面を破損することで、銘によって反射された光は分裂し、光のこの部分は、軌道１４３又は１４４に沿って焦点１４９へ伝わらない。従って、焦点１４９で観察される光の像１５０の銘の部分１０は、照明領域１５２に光がないことによって形成される暗い文字１５６として示される。
【誤訳訂正４】
【訂正対象書類名】明細書
【訂正対象項目名】００３３
【訂正方法】変更
【訂正の内容】
【００３３】
光の軌道１４１乃至１４４は、上記記載と基本的に同じであり、宝石５のテーブル６の銘１０を現す光源６０の分光反射像１５０は、基本的に同じ手段で作り出される。拡大レンズ５０は、宝石用ビューア２００の中心軸２７上に拡大レンズ５０の中心を具えるように上側シェル２４１に固定される。しかしながら、拡大レンズ５０は、角度を付けて取り付けられ、光学軸は、中心軸２７から角度を成している。上側シェル又はドーム２４１は、基部２３１周りに回転して、宝石５のテーブル６を内側焦点１４８へ、光の像１５０及び銘１０の文字を焦点へ動かす。
【誤訳訂正５】
【訂正対象書類名】明細書
【訂正対象項目名】００３５
【訂正方法】変更
【訂正の内容】
【００３５】
宝石用ビューア２００と同様に、宝石５は、宝石用ビューア３００の中心軸２７に沿って設置されている中央ノッチ２３５に配置される。ノッチ２３５は、テーブル６を具える宝石５を基部２３１の上側面２２３に対してほぼ平らに配置するように形成されている。光源６０は、宝石用ビューア２０の光源と同様に、回路基板と、バッテリーと、中央開口とを具える。光源２６２は、従来の多方向性の白熱電球であり、一方向ではない。光源２６２は、宝石５の周りに均等に間隔を空けて配置され、テーブル６の下に設置されており、これらが放つ光は、テーブルに直接に当たることはない。光の軌道１４１乃至１４４は、宝石用ビューア２０及び２００と同様であるが、２つのレンズ３５１及び３５２に与える追加の軌道３４５を具える。宝石５のテーブル６の銘１０を現す光源６０の分光反射像１５０は、基本的に同じである。
【誤訳訂正６】
【訂正対象書類名】明細書
【訂正対象項目名】００３８
【訂正方法】変更
【訂正の内容】
【００３８】
宝石用ビューア４００を改良した実施例が図１１に示されている。宝石用ビューア４００のこの変形例は、拡大レンズ５０に対向する円錐シェル４４１の端部に固定されたガラスプレート４５４を具える。宝石５は、テーブル６をガラスプレート４５４の外側面に対して配置することによって、宝石用ビューア４００によって受け入れられる。両方の変形例で、宝石５の中心９がわずかに中心軸２７からＬＥＤ６２の方へわずかに離れて設置されるときに、宝石用ビューア４００は、良好に機能する。このオフセットは、拡大レンズ５０の中心を通る像１５０を方向付ける。内部の光源６０は、球形の宝石用ビューア２０の型の従来の一方向のＬＥＤ６２であることが好ましい。光源６０は、円錐シェル４４１の内側周りに均等に間隔を空けて配置されたいくつかのＬＥＤにしてもよい。ＬＥＤ６２は、球形の宝石用ビューア２０と同じ手段であることを意図している。宝石５のテーブル６の銘１０を現す光源６０の分光反射像１５０を作り出すための光の軌道１４１乃至１４４は、一般に上記記載と同じである。宝石５を手で動かして、宝石５のテーブル６を内側焦点１４８に、像１５０及び銘１０又は識別番号１１を焦点へ動かす。
【誤訳訂正書】
【提出日】平成25年2月22日(2013.2.22)
【誤訳訂正１】
【訂正対象書類名】明細書
【訂正対象項目名】００６５
【訂正方法】変更
【訂正の内容】
【００６５】
GUI層及び他の構造において、可視的なプレゼンテーション層を実行及び描画するために、関連するオブジェクトのセットを有することは、アプリケーションの内部機構の特質である。この内在する機構を利用することで、イベントは、関連するランタイムGUIオブジェクト構造の検出により導出され、それによりカテゴライズドイベントを発生させ、GUIオブジェクトのセットをモニタリングするために一般的な操作として実行される。このシステムのアプローチの大きな利点は、モニタリングソリューションの開発者が、開発中に、出来る限りの出力を記述する必要はなく、その代わりに、現在から将来にわたりすべての類似構造を検出する、構造化された演算子式を解析することのみ必要であることである。その後、一般的に収集されたデータは、システムの他のソースに組み込まれ、ユーザとホストアプリケーションとのインタラクションの多次元的な視点を提供する。
【誤訳訂正２】
【訂正対象書類名】明細書
【訂正対象項目名】００９１
【訂正方法】変更
【訂正の内容】
【００９１】
図６を参照すると、gMgシステムは、いくつかの主要なカテゴリのイベントのソースを使用する。汎用イベント６１０内には、API、フック関数、及びコールバック経由で読み出されるウィンドウズ３２ＯＳのイベントが、存在する。ユーザ、アプリケーション、ＯＳ間の、インタラクション処理の様々な態様の相互作用処理への、アクセスを可能とする、多くの種類のメッセージ、プロパティ、関数に対するアクセスが、これらのイベントにより可能となる。イベントの別のソースは、ブラウザ（例えば、インターネット・エクスプローラー・イベント）からでもよく、コンテナ・アプリケーションが、リスナー及び利用可能なCOMオブジェクトにより読み出される、外部処理用のドキュメント・オブジェクト・モデル（DOM）などのデータモデル及びデータ型に関するイベントとプロパティとを公開する方法を、ブラウザは、裏付けしている。例えばIEなどのウェブブラウザは、複雑にマルチインスタンス化されたウィンドウ構造を示す最近のインターネット・アプリケーションGUIの動的な特性の、良い例である。gMgシステム内で、COMリスナーが有効化され、コールバック関数(IEEvents.cpp)を使用して、IEイベントを検出する。クラスがIEにより登録され、COMインターフェイスを経由して与えられるIEオブジェクトプロパティを読み出すことでイベントが発生する場合はいつでも、そのクラスにおけるメソッドが呼び出される。イベントの種類の別の例は、コール・リタン・メソッド・イベントであり、このイベントは、gMgセンサモニタリングコンポーネントにより作成される広範囲のセンサイベントを提供するものである。
【誤訳訂正３】
【訂正対象書類名】明細書
【訂正対象項目名】０１６１
【訂正方法】変更
【訂正の内容】
【０１６１】
クライアント側では、図１５のGUI検出の範囲１５１５において、gMgスクリプト表現を、意図的により汎用１５１０（例えば、関連するGUIオブジェクトの全種類を検出するために）にする、或いは、より特定１５０５（例えば、単一GUIオブジェクトを検出するために）にする。検出用の表現は、この概念的範囲のどの場所にも存在するGUIオブジェクトを、検出することができる。gMgセンサは、ホストアプリケーションのGUIオブジェクトデータを収集して、これを使用して、gMgスクリプトはGUIオブジェクト検出用の表現を一般的に（または、カテゴリ的に）定義する。その結果として収集されたGUIオブジェクトの詳細及びプロパティは、一括されてサーバに送信される。サーバは、これらのカテゴライズドイベントと、それに伴うプロパティを受信し、さらに、それらを処理して、特定のGUIオブジェクト・イベントを判断する。サーバは、追跡メッセージ・レベルと、予め定義されたセマンティクス及び仕様とを使用して、ユーザコンテキストを構築する。特定的GUI検出のために、追跡メッセージは、オブジェクトに関する特定のプロパティを含有する識別された各GUIオブジェクトに送信される。汎用検出を行う場合は、サーバに対する十分なデーを有する追跡メッセージが送信されて、特定GUIオブジェクト解析及び識別をリアルタイムの後で判定する。
【誤訳訂正４】
【訂正対象書類名】明細書
【訂正対象項目名】０２８２
【訂正方法】変更
【訂正の内容】
【０２８２】
図２９A、２９Bを参照して、コンピュータ・対象アプリケーションのプレゼンテーション層から導かれたイベントをモニタリングするプロセス２９００のフローチャートを、以下に説明する。ステップ２９０４では、「ソリューション」４２６の形式でのスクリプトは、対象アプリケーションに対してローカルなクライアントコンピュータ４３６に関して提供される。スクリプト４２６は、対象アプリケーション内で動作可能である。対象アプリケーション５４５のマルチインスタンス化からオブジェクト５０９のランタイムインスタンス化を、ステップ２９０６でスキャンする。そのオブジェクトをスキャンすると、１組のリアルタイムイベント５１５を誘起し、そのリアルタイムイベント５１５は、対象アプリケーションのメソッド呼び出し及びメソッド戻りから、ユーザ、アプリケーション、GUIオブジェクトのOSイベントと特定値、及びメソッドプロパティから導かれたイベントである。ステップ２９０８では、内部オブジェクトツリー８３２は、データ構造を組織化するために割り当てられる。そのデータ構造を、ステップ２９１０では、次に、実際のアプリケーションのGUIに、リアルタイムな動的変化８５４を反映するように適応させる。  その適応からのイベントの「マルチタイプ化」ストリームは、実際のアプリケーション１１１５、１１０３の現状を反映する。このGUI構造は、インターリーブ及び参照するために、他のすべての型のデータに対してコンテキストを提供するイベントの一種を反映する。ステップ２９１２では、関連オブジェクトのカテゴリーを検出できるスプリクト表現を用いることによって（コードサンプル参照）、対象アプリケーションのインスタンス化から所定のオブジェクト構造と一致するオブジェクトのインスタンス化を検出する。図１５は、関連したGUIオブジェクトのカテゴリー全体を検出するために、汎用１５１０に（又は、単一のGUIオブジェクトを検出するために、特定１５０５に）することが可能なgMgスクリプト表現を示す。検出表現は、アプリケーション内に、ランタイム構造を見い出す多様なバリエーションを反映するために、この概念的スペクトルのどこでもGUIオブジェクトを検出できる。ステップ２９１４では、検出したオブジェクトの動作環境スペクトラムの少なくとも一部は、対象アプリケーションのインスタンス化から、検出したオブジェクトのコンテンツから捕捉される。
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
熱源（ＳＣ）を取り巻く一方の面を有する複数の熱電池（４４）を備える装置にして、冷熱源（ＳＦ）が、前記熱電池の他方の面の上を流れる低温流体（Ｆ）によって構成され、該装置では、前記低温流体が導かれる少なくとも１つの環状ゾーン（４６）によって前記冷熱源（ＳＦ）が構成され、前記環状ゾーンの壁（４８）が、前記熱電池の第２の面と熱橋を形成し、環状ゾーン（４６）の第２の壁が、装置の外側エンベロープである、航空機のガスタービン等で電力を発生させるための装置であって、熱源が、外側半径に向かって螺旋運動によって（高温流体を構成する）排気ガスの一部分が流れる少なくとも１つの環状ゾーン（５８）によって構成され、冷熱源が、内側半径に向かって螺旋運動によって低温流体（Ｆ）が流れる前記少なくとも１つの環状ゾーン（４６）によって構成され、熱電池（４４）の少なくとも１つの環状組立体は、組立体の面のうちの一方が低温流体（Ｆ）と接触しており、他方の面が高温流体と接触しており、それによって向流筒型熱交換器を形成するように同軸に取り付けられることを特徴とする、装置。
【請求項２】
前記低温流体（Ｆ）が、前記タービン用の燃料と、冷却油または潤滑油と、前記タービンの圧縮機から取り込まれる空気と、エンジンコンパートメントを冷却するための空気と、前記タービンの外側の空気とを含む群から選択されることを特徴とする、請求項１に記載の電力発生装置。
【請求項３】
前記熱源（ＳＣ）が、排気ガスによる対流によって加熱される前記タービンのノズル（３２）の壁（４２）によって構成されることを特徴とする、請求項１または２に記載の装置。
【請求項４】
排気ガスの一部分が流れる複数の互いに結合される環状ゾーン（５８）と、低温流体が流れる複数の互いに結合される環状ゾーン（４６）と、熱電池の複数の環状組立体（４４）とを含み、各環状組立体が、排気ガス用の環状ゾーン（５８）と低温流体（Ｆ）用の環状ゾーン（４６）との間に配置されることを特徴とする、請求項１から３のいずれか一項に記載の装置。
【請求項５】
ガスタービンの補機に電気的に動力を供給するための、請求項１から４のいずれか一項に記載の電力を発生させるための装置の使用。
【請求項６】
請求項１から４のいずれか一項に記載の電力発生装置を含む、ヘリコプタタービンエンジン。
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）におけるアップリンク送信電力制御の方法であって、前記ＷＴＲＵは、少なくとも部分的に、１つまたは複数のアップリンクキャリア中の第１のアップリンクチャネルと第２のアップリンクチャネルとを同時に送信するように構成され、前記方法は、
前記第１のアップリンクチャネルの電力レベルを決定するステップと、
前記第１のアップリンクチャネルの前記電力レベルを、電力の差異を決定するために少なくとも１つのアップリンクキャリアに索引付けされたしきい値と比較するステップと、
前記少なくとも１つのアップリンクキャリアに索引付けされた前記第２のアップリンクチャネルの電力レベルについての値を決定するステップと、
前記第２のアップリンクチャネルの前記電力レベルを、低い値である前記電力の差異または前記決定された値のいずれかに調整するステップと、
を備えることを特徴とする方法。
【請求項２】
前記第１のアップリンクチャネルの電力レベルを決定するステップは、前記少なくとも１つのアップリンクキャリアに索引付けされた前記第１のアップリンクチャネルの電力レベルを計算するステップを含むことを特徴とする請求項１に記載の方法。
【請求項３】
前記第１のアップリンクチャネルは物理アップリンク制御チャネル（ＰＵＣＣＨ）であり、前記第２のアップリンクチャネルは物理アップリンク共有チャネル（ＰＵＳＣＨ）であることを特徴とする請求項１に記載の方法。
【請求項４】
前記しきい値は、前記少なくとも１つのアップリンクキャリアに索引付けされた最大ＷＴＲＵ送信電力であることを特徴とする請求項１に記載の方法。
【請求項５】
前記アップリンク送信電力は、物理アップリンク制御チャネル（ＰＵＣＣＨ）について決定されることを特徴とする請求項１に記載の方法。
【請求項６】
無線送受信ユニット（ＷＴＲＵ）における送信電力制御の方法であって、
複数のキャリアのそれぞれについての送信電力レベルを決定するステップと、
結合電力レベルを取得するために、前記複数のキャリアのそれぞれについての前記送信電力レベルを合計するステップと、
前記ＷＴＲＵについての電力クラスを決定するステップと、
前記結合電力レベルを前記ＷＴＲＵの前記電力クラスと比較するステップと、
前記ＷＴＲＵの前記電力クラスを超える前記結合電力レベルにおける電力縮小方法を決定するステップと、
を備えることを特徴とする方法。
【請求項７】
前記電力縮小方法は、
前記複数のキャリアのうちの１つまたは複数に渡るＷＴＲＵ合計送信電力を低減するステップであって、前記低減は、前記複数のキャリアのうちの前記１つまたは複数にて送信される少なくとも１つの物理アップリンク制御チャネル（ＰＵＣＣＨ）または物理アップリンク共有チャネル（ＰＵＳＣＨ）の優先順位に、少なくとも部分的に基づき、前記ＰＵＣＣＨの前記優先順位は前記ＰＵＳＣＨの前記優先順位よりも高い、ステップ
を備えることを特徴とする請求項６に記載の方法。
【請求項８】
前記電力縮小方法は、
前記複数のキャリアのうちの１つまたは複数に渡るＷＴＲＵ合計送信電力を低減するステップであって、前記低減は、前記複数のキャリアのうちの前記１つまたは複数にて送信される少なくとも１つのアップリンク制御情報（ＵＣＩ）を持つ物理アップリンク共有チャネル（ＰＵＳＣＨ）またはＵＣＩを持たないＰＵＳＣＨの優先順位に、少なくとも部分的に基づき、ＵＣＩを持つ前記ＰＵＳＣＨの前記優先順位はＵＣＩを持たない前記ＰＵＳＣＨの前記優先順位よりも高い、ステップ
を備えることを特徴とする請求項６に記載の方法。
【請求項９】
前記電力縮小方法は、
複数のキャリアのうちの１つまたは複数についての前記送信電力レベルを、それぞれのキャリア合計送信電力しきい値と比較するステップと、
前記比較によって前記送信電力レベルが前記それぞれのキャリア合計送信電力しきい値を超えることが示される前記複数のキャリアのうちの前記１つまたは複数のうちの少なくとも１つのために、前記送信電力レベルを前記それぞれのキャリア合計送信電力しきい値に調整するステップと、
を備えることを特徴とする請求項６に記載の方法。
【請求項１０】
前記電力縮小方法は、
前記複数のキャリアのうちの１つまたは複数に渡るＷＴＲＵ合計送信電力を低減するステップであって、前記低減は、前記複数のキャリアのうちの前記１つまたは複数にて送信されるアップリンク制御情報（ＵＣＩ）を持たない物理アップリンク共有チャネル（ＰＵＳＣＨ）をゼロに低減することに、少なくとも部分的に基づく、ステップ
を備えることを特徴とする請求項６に記載の方法。
【請求項１１】
無線送受信ユニット（ＷＴＲＵ）においてパワーヘッドルーム（ＰＨ）を決定する方法であって、前記ＷＴＲＵは、１つまたは複数のサブフレーム（ｉ）上の少なくとも１つのキャリア（ｋ）において、物理アップリンク共有チャネル（ＰＵＳＣＨ）を物理アップリンク制御チャネル（ＰＵＣＣＨ）と同時に送信するように構成され、前記方法は、
ＰＨ（ｉ，ｋ）を
【数１】
2012517747.tif 000001
の通りに計算するステップであって、ＰＨ（ｉ，ｋ）は、１ｄＢ刻みでｄＢ単位の範囲の最も近似の値に四捨五入されて、物理レイヤにより１つまたは複数の上位のレイヤに配信される、ステップ
を備えることを特徴とする方法。
【請求項１２】
無線送受信ユニット（ＷＴＲＵ）においてパワーヘッドルーム（ＰＨ）を決定する方法であって、前記ＷＴＲＵは、１つまたは複数のサブフレーム（ｉ）上の複数のキャリア（ｋ）のうちの少なくとも１つにおいて、物理アップリンク共有チャネル（ＰＵＳＣＨ）を送信するように構成され、前記方法は、
ＰＨ（ｉ，ｋ）を
【数２】
2012517747.tif 000002
の通りに計算するステップであって、ＰＨ（ｉ，ｋ）は、１ｄＢ刻みでｄＢ単位の範囲の最も近似の値に丸められて、物理レイヤにより１つまたは複数の上位のレイヤに配信される、ステップ
を備えることを特徴とする方法。
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
ＩＩＩ族金属窒化物薄膜を製造する方法であって、反応チャンバー中の基板をＩＩＩ族金属前駆体及び窒素の活性中性種と交互かつ連続的に接触させる工程を含む方法。
【請求項２】
ＩＩＩ族金属前駆体との基板の接触が、基板上にＩＩＩ族金属の非自己制限的層を形成する、請求項１に記載の方法。
【請求項３】
窒素の活性中性種が、分子状窒素の最低励起状態（Ａ3Σu+）を有する窒素種を含む、請求項１に記載の方法。
【請求項４】
ＩＩＩ族金属前駆体が有機金属種を含む、請求項１に記載の方法。
【請求項５】
プラズマ増強化学蒸着を利用する薄膜結晶成長の方法であって、基板領域へのカチオン種及びアニオン種の供給を間欠的に調節する工程を含む方法。
【請求項６】
前記アニオン種が、０．１ミリトルから１０トルのプラズマ圧力範囲を有するプラズマとして供給される、請求項５に記載の方法。
【請求項７】
アニオン種の供給の調節が、プラズマのチャンバー圧力の変更によるものである、請求項６に記載の方法。
【請求項８】
前記プラズマがパルス状送出される、請求項６に記載の方法。
【請求項９】
前記カチオン種の間欠的な供給がパルス状であり、パルスが所定の期間起こる、請求項５に記載の方法。
【請求項１０】
前記カチオン種の供給が蒸気相送出によるものである、請求項５に記載の方法。
【請求項１１】
カチオン種又はアニオン種の供給を調節する工程が、入口でのガスの流れを著しく低減又は停止することによる、請求項５に記載の方法。
【請求項１２】
カチオン種及びアニオン種の供給の間欠的な調節が、所望の厚さの薄膜が得られるまで繰り返される、請求項５に記載の方法。
【請求項１３】
基板を保持するためにチャンバー内に位置する基板保持具；
基板に隣接して位置する、カチオン前駆体の供給を基板に向けるためのカチオン種供給装置；及び
アニオン前駆体の供給を、プラズマ系アニオン種の供給を作ることができるプラズマ生成領域に向けるアニオン種供給装置
を含むプラズマ処理反応器であって、基板への前記カチオン前駆体の供給及びプラズマ系アニオン種の供給が間欠的に調節されるプラズマ処理反応器。
【請求項１４】
プラズマ生成領域中に位置してプラズマ系アニオン種の供給を発生させるアノードを含む、請求項１３に記載のプラズマ処理反応器。
【請求項１５】
前記アノードとカチオン種供給装置との間に位置する中空カソードを含む、請求項１４に記載のプラズマ処理反応器。
【請求項１６】
前記中空カソードが、無線周波数（ＲＦ）源、より低周波の源、及び直流（ＤＣ）源からなる群から選択される電源を利用してプラズマを発生させる、請求項１５に記載のプラズマ処理反応器。
【請求項１７】
前記プラズマが比較的大面積に拡大可能である、請求項１６に記載のプラズマ処理反応器。
【請求項１８】
前記プラズマ系アニオン種が、中空カソードを通って基板の近隣に流れることのできる、請求項１３に記載のプラズマ処理反応器。
【請求項１９】
前記カチオン前駆体が有機金属種である、請求項１３に記載のプラズマ処理反応器。
【請求項２０】
前記カチオン種供給装置が基板の表面を部分的に覆い、基板がカチオン種供給装置の下で回転する、請求項１３に記載のプラズマ処理反応器。
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
ビデオ・エンコーダにおいて画像の少なくとも部分に対する画像データを符号化する方法であって、
隣接テンプレート・データから前記部分に適用するイントラ・モードを導出することと、
前記部分に対する前記イントラ・モードの信号伝達を明示的に中止することと、
を含み、
前記隣接テンプレート・データは、前記部分に対して隣接する画素から形成される隣接テンプレートに対応し、
前記部分に対する前記イントラ・モードは、利用可能なイントラ・モードのセットのサブセットをテストするために前記隣接テンプレート・データを使用して暗黙的に導出され、前記サブセット内の特定のイントラ・モードが、前記部分に対する前記イントラ・モードとして該サブセットの該イントラ・モードを使用して取得した予測値と復号された値との間の各歪測度のうちからの最小歪測度に基づいて選択され、該予測値と復号された値が該部分に対して候補隣接内の候補パッチに対応する、前記方法。
【請求項２】
暗黙的イントラ・モード導出が、画像のブロックのサブセットに対して実行されるのに対して、明示的イントラ・モード信号伝達は前記画像の他のブロックに対して実行され、前記ブロックの前記サブセットは前記部分である、請求項１記載の方法。
【請求項３】
画像の少なくとも部分に対する画像データを符号化するエンコーダを有する装置であって、
前記エンコーダは、隣接テンプレート・データから前記部分に適用するイントラ・モードを導出し、前記部分に対する前記イントラ・モードを信号伝達することを明示的に中止し、当該隣接テンプレート・データは、前記部分に対して隣接する画素から形成される隣接テンプレートに対応し、
前記部分に対する前記イントラ・モードは、利用可能なイントラ・モードのセットのサブセットをテストするために前記隣接テンプレート・データを使用して暗黙的に導出され、前記サブセット内の特定のイントラ・モードが、前記部分に対する前記イントラ・モードとして該サブセットの該イントラ・モードを使用して取得した予測値と復号された値との間の各歪測度のうちからの最小歪測度に基づいて選択され、該予測値と復号された値が該部分に対して候補隣接内の候補パッチに対応する、前記装置。
【請求項４】
暗黙的イントラ・モード導出が、画像のブロックのサブセットに対して実行されるのに対して、明示的イントラ・モード信号伝達は前記画像の他のブロックに対して実行され、前記ブロックの前記サブセットは前記部分である、請求項３記載の装置。
【請求項５】
ビデオ・デコーダにおける画像の少なくとも部分に対する画像データを復号する方法であって、
画像の少なくとも部分に対する画像データを、前記部分に対するイントラ・モードのいかなる明示的な信号伝達も受信しない場合に、隣接テンプレート・データから前記部分に適用するイントラ・モードを導出することにより復号することを含み、
前記隣接テンプレート・データは、前記部分に対して隣接する画素から形成される隣接テンプレートに対応する、前記方法。
【請求項６】
前記最小歪測度は、絶対差分の和または平均二乗誤差に基づいて決定される、請求項１または５記載の方法。
【請求項７】
前記サブセットは、隣接ブロックに使用されるイントラ・モードの関数に基づいて決定される、請求項１または５記載の方法。
【請求項８】
前記部分に対する前記イントラ・モードは、前記隣接ブロックのイントラ・モードのインデックスの関数および前記隣接テンプレートのベスト・モードとしてさらに暗黙的に導出される、請求項１または５記載の方法。
【請求項９】
前記隣接テンプレートの前記ベスト・モードは、前記隣接テンプレートに使用される複数のまたは全てのイントラ・モードをテストし、そして最小歪測度を与える所定のイントラ・モードを、前記隣接テンプレートに使用される前記複数のまたは全てのイントラ・モードの中から、前記隣接テンプレートに対する前記ベスト・モードとして、選択することにより決定される、請求項８記載の方法。
【請求項１０】
前記関数は、メジアン関数である、請求項８記載の方法。
【請求項１１】
暗黙的イントラ・モード導出が、画像のブロックのサブセットに対して実行されるのに対して、明示的イントラ・モード導出は、前記画像の他のブロックに対して実行され、前記ブロックの前記サブセットは前記部分である、請求項５記載の方法。
【請求項１２】
画像の少なくとも部分に対する画像データを復号するデコーダを有する装置であって、
前記デコーダは、前記部分に対するイントラ・モードのいかなる明示的な信号伝達も受信しない場合に、隣接テンプレート・データから前記部分に適用するイントラ・モードを導出し、当該隣接テンプレート・データは、前記部分に対して隣接する画素から形成される隣接テンプレートに対応する、装置。
【請求項１３】
暗黙的イントラ・モード導出が、画像のブロックのサブセットに対して実行されるのに対して、明示的イントラ・モード導出は、前記画像の他のブロック対して実行され、前記ブロックの前記サブセットは前記部分である、請求項１２記載の装置。
【請求項１４】
コンピュータ読み取り可能な記憶媒体であって、符号化された動画信号データを当該記憶媒体に有し、該動画信号データが画像の少なくとも部分に対する符号化された画像データを含み、該画像データが、隣接テンプレート・データから前記部分へ適用されるイントラ・モードを導出することによって符号化され、前記隣接テンプレート・データは、前記部分に対して隣接する画素から形成された隣接テンプレートに対応し、前記符号化された画像データは、対応するデコーダに対して前記部分の前記イントラ・モードのいかなる明示的な信号伝達がなくても、当該デコーダによって前記部分に対する前記イントラ・モードの決定が可能なように構成される、前記記憶媒体。
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
複数の個人それぞれに対し、主要画面で見る主要エンターテインメントコンテンツの項目と、前記個人が前記主要画面で前記主要エンターテインメントコンテンツを見ながら第２の携帯デバイス画面で見るために前記個人が選択した二次的コンテンツの項目とに関する情報を収集するステップと、
第１の消費者が見ている主要エンターテインメントコンテンツの項目を示すデータを受信するステップと、
前記収集した情報に基づいて、前記第１の消費者が見ている前記主要エンターテインメントの項目と連動して第２の携帯デバイス画面で表示する二次的コンテンツの１つ以上の項目を提案するデータを送信するステップと、
を含む方法。
【請求項２】
前記送信されるデータは、前記第１の消費者に関するプロファイル情報にさらに基づく、
ことを特徴とする請求項１に記載の方法。
【請求項３】
前記収集した情報は、個人が見るために選択した二次的コンテンツであって前記主要エンターテインメントコンテンツのプロバイダによって提案されていない二次的コンテンツの少なくとも１つの項目を識別する、
ことを特徴とする請求項１に記載の方法。
【請求項４】
画面とマイクとを備えた、ネットワーク接続した携帯装置であって、
周囲の音声をマイクでサンプリングして、主要画面を通してユーザが見ている主要エンターテインメントコンテンツに対応する識別データを生成し、
前記主要エンターテインメントコンテンツに関するデータをリモートシステムに送信し、
前記携帯装置の画面に二次的コンテンツを表示し、
前記二次的コンテンツに関するデータを前記リモートシステムに送信するように構成され、
全体として、どのような主要コンテンツと連動してユーザがどのような二次的コンテンツを一般的に見ているかを識別することができるように、リモートシステムにデータを提供する、
ことを特徴とする携帯装置。
【請求項５】
ユーザの第２の画面デバイスに、リモートウェブサイトから提供された情報を表示するステップと、
前記第２の画面デバイスとは区別されるテレビシステムによって前記ユーザに表示されている主要エンターテインメントコンテンツを識別する前記ウェブサイトに識別データを送信し、前記ウェブサイトに前記主要エンターテインメントコンテンツに関して伝えられるようにするステップと、
前記ユーザの第２の画面デバイスに、前記リモートウェブサイトから提供されたカスタマイズされた情報を表示するステップであって、前記カスタマイズされた情報は、前記送信されたデータに依存する、ステップと、
を含む方法。
【請求項６】
前記リモートウェブサイトは、ニュースウェブサイトであり、
前記主要エンターテインメントコンテンツは、スポーツの試合を含み、
前記カスタマイズされた情報を表示するステップは、前記送信されたデータを理由にスポーツニュースを目立たせている前記ニュースウェブサイトのカスタマイズされたウェブページを表示することを含む、
ことを特徴とする請求項５に記載の方法。
【請求項７】
ウェブサーバシステムにおいて、ディスプレイに表示するために、携帯ユーザデバイスに情報を送信するステップと、
前記ウェブサーバシステムにおいて、前記携帯ユーザデバイスとは区別されるデバイスによって前記ユーザに表示されている主要エンターテインメントコンテンツを示す情報を受信するステップと、
前記主要エンターテインメントコンテンツを示す前記受信した情報に基づいて、前記携帯ユーザデバイスに送信された前記情報をカスタマイズするステップと、
を含む方法。
【請求項８】
前記ウェブサーバシステムにおいて、前記主要エンターテインメントコンテンツがスポーツに関するものであることを示す情報を受信するステップと、
前記主要エンターテインメントコンテンツがスポーツに関するものであることを示す受信した情報に基づいて、前記携帯ユーザデバイスに送信された前記情報をカスタマイズするステップと、
を含む請求項７に記載の方法。
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
治療のために患者に提供される加圧空気の供給を引き起こす流れ発生器と共に用いられるデバイスであって、前記加圧空気は、前記流れ発生器の出口に接続可能な患者インターフェースを介して前記患者に提供され、前記デバイスは、
第１の信号を発生するエミッタと、
前記第１の信号と、前記患者インターフェースが接続された場合に該患者インターフェースから反射される第２の信号と、を受信するセンサと、
前記第１の信号及び前記反射された第２の信号を処理するコントローラであって、該処理された、反射された第２の信号に基づいて前記患者インターフェースの接続を検出する、コントローラと、
を具備するデバイス。
【請求項２】
前記第１の信号は、音響インパルス又は連続音響信号のいずれかである、請求項１に記載のデバイス。
【請求項３】
前記コントローラは、ケプストラム解析によって前記第１の信号及び前記第２の信号を処理する、請求項１または２に記載のデバイス。
【請求項４】
前記エミッタは前記流れ発生器である、請求項１乃至３のいずれか一項に記載のデバイス。
【請求項５】
前記患者インターフェースが接続される場合、該患者インターフェースはマスク及び管を含む、請求項１乃至４のいずれか一項に記載のデバイス。
【請求項６】
前記センサは、前記流れ発生器内に又は該流れ発生器の出口に近接して取り付けられるか又は封入される、請求項１乃至５のいずれか一項に記載のデバイス。
【請求項７】
前記センサは、マイクロフォン、圧力センサ、又は流れセンサである、請求項１乃至６のいずれか一項に記載のデバイス。
【請求項８】
前記コントローラは、前記患者インターフェースに関する情報をコンピュータに転送する、請求項１乃至７のいずれか一項に記載のデバイス。
【請求項９】
前記患者インターフェースの前記接続の検出は、特定のマスクモデルの識別を含む、請求項１乃至８のいずれか一項に記載のデバイス。
【請求項１０】
前記患者インターフェースの前記接続の検出は、該患者インターフェースに関連する漏れの検出を含む、請求項１乃至９のいずれか一項に記載のデバイス。
【請求項１１】
治療のために患者に提供される加圧空気の供給を引き起こす流れ発生器と共に用いられるデバイスであって、前記加圧空気は、前記流れ発生器の出口に接続された患者インターフェースを介して前記患者に提供され、前記デバイスは、
第１の信号を発生するエミッタと、
前記第１の信号と、前記患者インターフェースから反射された第２の信号と、を受信するセンサと、
前記第１の信号及び前記反射された第２の信号を処理するコントローラと、
を具備し、
前記コントローラは、前記反射された第２の信号の少なくとも１つの特徴を所定の音響信号のセット内の少なくとも１つの特徴と比較することに基づいて、前記患者インターフェースを識別する、デバイス。
【請求項１２】
治療のために患者に提供される加圧空気の供給を引き起こす流れ発生器と共に用いられるデバイスであって、前記加圧空気は、前記流れ発生器の出口に接続された患者インターフェースを介して前記患者に提供され、前記デバイスは、
第１の信号を発生するエミッタと、
前記第１の信号と、前記患者インターフェースから反射された第２の信号と、を受信するセンサと、
前記第１の信号及び前記反射された第２の信号を処理するコントローラと、
を具備し、
前記コントローラは、前記反射された第２の信号の少なくとも１つの特徴を所定の音響信号のセット内の少なくとも１つの特徴と比較することに基づいて、前記患者インターフェースにおける不具合を識別する、デバイス。
【請求項１３】
出口からの加圧空気の供給を引き起こす流れ発生器に接続するように適合された患者インターフェースを識別する方法であって、
空気路に第１の信号を放出するステップと、
前記第１の信号と、前記空気路に沿って反射された第２の信号と、を検出するステップと、
前記第２の信号を取得するよう、信号をフィルタリングするステップと、
前記第２の信号を、患者インターフェースの所定の反射信号のアレイと比較するステップと、
前記アレイとの前記第２の信号の比較に基づいて、前記空気路に接続された患者インターフェースを識別するステップと、
を含む、方法。
【請求項１４】
流れ発生器に接続されたマスクのタイプを、該マスクの音響反射を特徴付けることにより識別する方法。
【請求項１５】
空気路における特徴を検出又は識別する方法であって、
前記空気路に第１の信号を放出するステップと、
前記第１の信号と、前記空気路に沿って反射された第２の信号と、を検出するステップと、
前記第２の信号を取得するよう、信号をフィルタリングするステップと、
前記第２の信号を、前記空気路の所定の特徴のアレイと比較するステップと、
前記アレイとの前記第２の信号の比較に基づいて前記空気路における特徴を識別するステップと、
を含む、方法。
【請求項１６】
前記空気路は患者インターフェースを含む、請求項１５に記載の方法。
【請求項１７】
前記空気路は患者の呼吸器系を含む、請求項１５または１６に記載の方法。
【請求項１８】
前記特徴は、前記空気路内の狭窄、前記空気路の直径、前記空気路の長さ、及び前記空気路の閉塞からなるグループから選択される１つ又は複数を含む、請求項１５乃至１７のいずれか一項に記載の方法。
【請求項１９】
患者インターフェースの特徴を識別する、請求項１５乃至１８のいずれか一項に記載の方法。
【請求項２０】
前記患者インターフェースの特徴は、流れ発生器の設定を制御する治療パラメータを調整するために用いられる、請求項１９に記載の方法。
【請求項２１】
呼吸治療導管と結合し、該導管からの音の測定量を生成するように適合されたマイクロフォンであって、該音は流れ発生器の発生したノイズである、マイクロフォンと、
前記マイクロフォンからの前記音の測定量のデータサンプルを、テンプレートを表す以前に格納されたデータサンプルとの比較によって解析するように構成され、前記比較からシステム又は患者の特徴を検出するようにさらに構成されたプロセッサと、
を具備する呼吸治療装置。
【請求項２２】
前記データサンプルの解析は、前記音の測定量の前記データサンプルを用いたケプストラムの計算を含む、請求項２１に記載の装置。